(57)【要約】  本発明は、心臓補助システム用のセンサヘッド装置（１０５）に関し、センサヘッド装置（１０５）は、少なくとも一つのセンサ担持要素（２０５）を有し、センサ担持要素（２０５）は、少なくとも一つのセンサ（２１５、２２０）を収容するための少なくとも一つのセンサキャビティ（１５５、２１０）、および／または少なくとも一つの信号送信機（２３５）を収容するための少なくとも一つの信号送信機キャビティ（２２５、２３０）を有する。【選択図】図２
2021526874.tif 000002
【特許請求の範囲】
【請求項１】
心臓補助システム（１００）用のセンサヘッド装置（１０５）であって、少なくとも、
少なくとも一つのセンサ（２１５、２２０）を収容するための少なくとも一つのセンサキャビティ（１５５、２１０）、および／または少なくとも一つの信号送信機（２３５）を収容するための少なくとも一つの信号送信機キャビティ（２２５、２３０）を有する、センサ担持要素（２０５）を有する、センサヘッド装置（１０５）。
【請求項２】
前記少なくとも一つのセンサキャビティ（１５５、２１０）が、前記少なくとも一つの信号送信機キャビティ（２２５、２３０）とは異なる方向に開いている、請求項１に記載のセンサヘッド装置（１０５）。
【請求項３】
前記センサキャビティ（１５５、２１０）が、前記センサ担持要素（２０５）の周りの少なくとも部分的に周方向の溝によって形成される、請求項１または２に記載のセンサヘッド装置（１０５）。
【請求項４】
前記センサ担持要素（２０５）が、丸み付きキャップおよび／または外端（１５０）にＵ字形および／またはＥ字形に配置される外壁（３１０）を有し、および／または少なくとも一つの内端（２６０）にＵ字形および／またはＥ字形に配置される内壁（２６５）を有する、請求項１〜３のいずれか一項に記載のセンサヘッド装置（１０５）。
【請求項５】
前記少なくとも一つの信号送信機キャビティ（２２５、２３０）または前記少なくとも一つのセンサキャビティ（１５５、２１０）が、前記外壁（３１０）の間、および／または前記外壁（３１０）と前記内壁（１６５）との間に形成される、請求項４に記載のセンサヘッド装置（１０５）。
【請求項６】
中央で、前記センサ担持要素（２０５）がチャネル（２７０）を有する、請求項１〜５のいずれか一項に記載のセンサヘッド装置（１０５）。
【請求項７】
前記チャネル（２７０）は、円筒形管（２７５）を含む、請求項６に記載のセンサヘッド装置（１０５）。
【請求項８】
特に温度センサおよび／または圧力センサとして形成された少なくとも一つのセンサ（２１５、２２０）を有し、および／または特に超音波素子として形成された少なくとも一つの信号送信機（２３５）を有し、前記少なくとも一つのセンサ（２１５、２２０）および／または前記少なくとも一つの信号送信機（２３５）は、導電素子（３２０）上に配置される、請求項１〜７のいずれか一項に記載のセンサヘッド装置（１０５）。
【請求項９】
前記信号送信機キャビティ（２２５、２３０）が、レンズ素子（２４５）によって少なくとも部分的に覆われ、前記レンズ素子（２４５）が、特に超音波レンズとして設計され、および／またはシリコン材料から作製される、請求項１〜８のいずれか一項に記載のセンサヘッド装置（１０５）。
【請求項１０】
前記センサ担持要素（２０５）が熱可塑性材から形成され、および／または前記センサ担持要素（２０５）が機械加工製造方法で、および／または射出成形部品として製造される、請求項１〜９のいずれか一項に記載のセンサヘッド装置（１０５）。
【請求項１１】
前記センサキャビティ（１５５、２１０）が鋳造化合物で充填され、前記鋳造化合物が特に固体またはゲル様シリコンまたはシリコンオイルを含む、請求項１〜１０のいずれか一項に記載のセンサヘッド装置（１０５）。
【請求項１２】
前記センサキャビティ（１５５、２１０）が、膜および／または拡散バリアによってコートおよび／または被覆され、前記膜が特にフィルムおよび／または前記拡散バリアとしてパリレン材料を含む、請求項１〜１１のいずれか一項に記載のセンサヘッド装置（１０５）。
【請求項１３】
請求項１〜１２のいずれか一項に記載のセンサヘッド装置（１０５）を有する心臓補助システム（１００）であって、前記センサヘッド装置（１０５）が、ガイドカニューレ（１２０）の一端に配置され、前記センサヘッド装置（１０５）が、接続要素によって前記ガイドカニューレ（１２０）の導電素子に、特に、電気的に接続可能であるか、または電気的に接続される、心臓補助システム（１００）。
【請求項１４】
請求項１〜１３のいずれか一項に記載の心臓補助システム（１００）用のセンサヘッド装置（１０５）を生成するための方法（６００）であって、
少なくとも一つのセンサ（２１５、２２０）を収容するための少なくとも一つのセンサキャビティ（１５５、２１０）、および／または少なくとも一つの信号送信機（２３５）を収容するための少なくとも一つの信号送信機キャビティ（２２５、２３０）を有するセンサ担持要素（２０５）を形成する工程（６１０）を少なくとも含む、方法（６００）。
【請求項１５】
少なくとも一つのセンサ（２１５、２２０）を前記形成されたセンサ担持要素（２０５）の前記センサキャビティ（１５５、２１０）内、および／または少なくとも一つの信号送信機（２３５）を前記形成されたセンサ担持要素（２０５）の前記少なくとも一つの信号送信機キャビティ（２２５、２３０）内に挿入する工程（６２０）をさらに含む、請求項１４に記載の方法（６００）。
【請求項１６】
対応するユニット（７１０、７２０）における、請求項１４または１５に記載の方法（６００）の工程を実行および／または制御するように構成された装置（７００）。
【請求項１７】
請求項１４〜１５のいずれか一項に記載の方法（６００）の工程を実行および／または制御するように構成されたコンピュータープログラム。
【請求項１８】
請求項１７に記載のコンピュータープログラムが記憶される、機械可読記憶媒体。
【発明の詳細な説明】
【技術分野】
【０００１】
本発明は、独立ク請求項クラスに従った装置または方法から進行する。本発明の主題はまた、コンピュータープログラムである。
【背景技術】
【０００２】
埋め込まれた左心室補助システムなどの心臓補助システムは、身体パラメータを検出するための複数のセンサを有し得る。
【０００３】
そこから進むと、本発明は、センサまたは信号送信機の統合およびカプセル化の最適化の意味で、センサヘッド装置を改善する目的に基づき、対応する有利な製造方法を指定ことである。
【０００４】
このような背景に対して、低侵襲性心臓補助システム用のセンサヘッド装置、心臓補助システム用のセンサヘッド装置を製造するための方法、およびこの方法を使用する装置、ならびに最後に、主たる請求項による対応するコンピュータープログラムが、本明細書に提示されるアプローチで提示される。独立請求項に規定される装置の有利な発展および改善は、従属請求項に列挙された措置によって可能である。
【発明の概要】
【０００５】
心臓補助システムのためのセンサヘッド装置の本明細書に提示されるアプローチは、例えば、大動脈弁位置での低侵襲左心室心臓補助システムにおける、センサ技術の統合およびカプセル化の改善に関する。この場合、センサヘッド装置は、例えば、心臓補助システムの供給カニューレの遠位端に配置することができ、少なくとも一つの電子センサおよび／または少なくとも一つの信号送信機、例えば超音波素子のための少なくとも一つのキャビティを有する、例えば、プラグ型のセンサパッケージとして設計される。
【０００６】
患者に挿入可能な低侵襲性心臓補助システム用のセンサヘッド装置が提供され、センサヘッド装置は、少なくとも以下の特徴を有する。
センサ担持要素は、少なくとも一つのセンサを収容するための少なくとも一つのセンサキャビティ、および／または少なくとも一つの信号送信機を収容するための少なくとも一つの信号送信機キャビティを有する。
【０００７】
センサヘッド装置は、例えば、温度センサおよび／または圧力センサおよび／または超音波素子などのセンサアセンブリーを統合または収容するのに役立つ、心臓補助システムの構造要素とすることができる。人工心臓またはＶＡＤ（心室支援装置）とも呼ばれる心臓補助システムは、心臓のポンプ性能を増加させるためのポンプ装置を意味すると理解され得る。心臓補助システムは、例えば、カテーテルによって、心腔内または大動脈内に挿入することができる。心臓補助システムは、特に（経皮的）左心室補助システムであり得る。センサ担持要素は、運搬構成要素、その上に、少なくとも一つのセンサおよび／または少なくとも一つの信号送信機が存在し得るか、または配置される、例えば、ハウジング、ラック、および／またはフレームであり得、センサおよび／または信号送信機は、センサ担持要素によって機械的に保護され、しっかりと支持される。センサキャビティは、例えば、センサヘッド装置のセンサ担持要素内に形成され、センサを収容および封入する役割を果たすキャビティ（例えば、正方形もしくは立方形に、または少なくとも部分的に円周方向の溝の形態で形成される）を意味すると理解され得る。センサは、例えば、温度および圧力などの特定の物理変数を、測定される変数として定性的または定量的に検出できる技術的構成要素であり得る。これらの変数は、この場合、物理的効果によって検出され得、例えば、さらなる処理可能な電気信号に変換され得る。信号送信機キャビティは、例えば、センサヘッド装置のセンサ担持要素内に形成され、信号送信機を収容および封入する役割を果たすキャビティ（例えば、正方形または円筒状に形成される）を意味すると理解され得る。信号送信機は、例えば、超音波のための送信機および／または受信機としての超音波素子であり得る。
【０００８】
心臓補助システム（例えば、患者に低侵襲で挿入可能な心臓補助システム）用のセンサヘッド装置の本明細書に提示されるアプローチの利点は、特に、心臓補助システムの先端に少なくとも一つの圧力センサおよび／または温度センサの最適化された統合およびカプセル化の可能性を作り出すことにある。心臓補助システムのヘッド領域にアクティブ電子コンポーネントおよびセンサ技術を挿入する、市販されるシステムは現在存在しない。この場合、心臓疾患を有する人の血液温度は、有利には、例えば、統合温度センサによって測定され得る。敗血症は、埋め込まれた心臓補助システムを有する患者において一般的な合併症であるため、発熱性感染は、良好なタイミングで検出され、例えば、血液温度の傾向分析によって早期に治療または予防することができる。（好ましくは気圧）圧力センサの統合およびカプセル化の改善によって、例えば、心臓疾患患者の心室圧を検出することができる。この場合の統合は、例えば、圧力測定値が心臓補助システムのガイドカニューレ内のわずかな陰圧によって改ざんされないように設計される。決定された圧力データは、例えば、心室を虚脱から保護するために、患者の心室圧を測定し、心室圧に基づいてポンプを調節するために使用することができる。この方法で決定される圧力データは、例えば、差圧、すなわち、大動脈圧力から心室圧力を引いた差圧をポンプにわたって決定し、従って、ポンプ、ポンプ性能、またはポンプの機能を監視するためにも使用され得る。
【０００９】
一実施形態によれば、センサ担持要素は、センサヘッド装置の延長の長手方向に延在するチャネルを有してもよく、および／または少なくとも一つのセンサキャビティは、少なくとも一つの信号送信機キャビティとは異なる方向に開くことができる。本明細書に提示されるアプローチのこうした実施形態は、こうしたチャネルが、ガイドワイヤがセンサキャビティを備えるセンサキャリアを通して中央にガイドされることを可能にするという利点を提供する。これにより、最適な機械的保護と安全な取り付けが確保される。身体パラメータの非常に正確な測定はまた、キャビティの異なる開口部方向の結果として達成され得る。
【００１０】
一実施形態によれば、センサ担持要素は、一つの外端に丸み付きキャップを有し得る。断面において、回転対称センサ担持要素は、代替的または追加的に外壁（例えば、円筒形の外壁）を有することができ、Ｕおよび／またはＥの形状に配置され、および／または内壁（例えば、円筒形の内壁）を持ち、少なくとも一つの内端においてＵおよび／またはＥの形状に配置され、少なくとも一つの信号送信機キャビティまたはセンサキャビティは、特に、外壁の間、および／または外壁と内壁との間に形成される。本明細書に提示されるアプローチのそのような実施形態は、丸み付きキャップを備えた外端またはマッシュルームヘッドの形状に設計されたセンサヘッド装置の外端が、心臓疾患患者に怪我をさせないため、または例えば、システムの埋め込み中に心臓補助システムが前進したとき良好な滑り特性を確保するために、心臓補助システムを患者に導入するために有利に形成されるという有利さを提供する。この場合、マッシュルームヘッドの形状で設計された外端だけでなく、例えば、ポットの形状で設計された外端も、統合されたセンサに対して機械的保護およびしっかりと固定されたカプセル化を提供し続ける。
【００１１】
本明細書に提示されるアプローチのそのような実施形態はさらに、心臓補助システムのガイドカニューレの端部にある一種のストッパーとしてのセンサヘッド装置の実施形態が、製造プロセスが時間とお金を節約するセンサヘッド装置の簡単な製造を可能にするという利点を提供する。
【００１２】
一実施形態によれば、センサ担持要素は、その中心に開口部を有することができ、開口部は特に円筒形管を有する。管は、例えば、センサ担持部の全長にわたって開口部に挿入され、かつ／またはその中に形成され得る。本明細書に提示されるアプローチのこうした実施形態は、ガイドワイヤが、例えば、開口部内に、および／または円筒形管内に挿入され得るという利点を提供する。心臓補助システムを心臓疾患患者の左心腔または大動脈に埋め込む場合、ガイドワイヤはまず患者の心室に敷設され得る。心臓補助システムは、その後、ガイドワイヤ上に押し付けられ、ガイドワイヤに沿って端位置に前進され得る。このようにして、心臓補助システムの非常に正確な位置決めを達成することができる。
【００１３】
一実施形態によれば、センサヘッド装置は、少なくとも一つのセンサ、特に温度センサおよび／または圧力センサとして設計されたセンサ、および／または少なくとも一つの信号送信機、特に超音波を放出および／または受信するための超音波素子または超音波トランスデューサーとして設計された信号送信機を有することができる。代替的にまたは追加的に、少なくとも一つのセンサおよび／または少なくとも一つの信号送信機は、導電素子上に配置され得る。超音波素子はまた、例えば、超音波素子の周りの外壁を省略することができる、それ自体のハウジングを有することができる。この場合、壁は、生体適合性の目的のために、超音波素子の機械的安定化およびカプセル化の両方に使用できる。本明細書に提示されるアプローチのこうした実施形態は、少なくとも一つの超音波素子を心臓補助システムのセンサヘッド装置に組み込むことにより、心臓疾患患者の血液の体積流量測定を可能にするという利点を提供する。
【００１４】
一実施形態によれば、信号送信機キャビティは、少なくとも部分的にレンズ素子によって覆われてもよく、レンズ素子は特に超音波レンズとして設計され、および／またはシリコン材料で作製される。本明細書に提示されるアプローチのそのような実施形態は、超音波レンズが、超音波エネルギーの音の形成に使用され、超音波レンズが、さらに超音波素子をしっかりとカプセル化し、超音波レンズが、複数の入口ポートを通って入る心臓疾患患者の血流を伝導することができるという有利さを提供する。
【００１５】
一実施形態によれば、センサ担持要素は、熱可塑性材から形成され、かつ／または機械加工製造プロセスで、かつ／または射出成形部品として作製され得る。本明細書に提示されるアプローチのこうした実施形態は、高品質の弾力のある医療製品を、例えば射出成形プロセスによって製造できるという利点を提供する。オリジナルの原材料から完成した射出成形部品への噴出生産により、射出成形プロセスが、例えば、精密部品の製造に使用され得る、迅速で費用効果の高いプロセスとなる。特に、低侵襲性心臓補助システムの製造用など、非常に小さな個々の部品は、正確な製造から利益を得る。原則として、製造を迅速に完了できるように、完成品のさらなる後処理は不要である。
【００１６】
一実施形態によれば、センサキャビティは、鋳造化合物で充填されてもよく、鋳造化合物は特に、固体またはゲル様シリコンまたはシリコンオイルを含む。本明細書に提示されるアプローチのこうした実施形態は、例えば、センサキャビティを鋳造化合物で充填することが、センサを血液および機械的損傷から保護し得るという利点を提供する。この場合、鋳造化合物は、正確な圧力測定を継続して可能にするために、圧力センサによって決定される患者の心臓圧力を伝達することができるべきである。鋳造化合物は、例えば、固体および／またはゲル様シリコン、またはシリコンオイルであってもよく、この鋳造化合物は、センサの追加的なカプセル化を必要とする。
【００１７】
一実施形態によれば、センサキャビティは、膜および／または拡散バリアによってコートおよび／または被覆されてもよく、膜は、特に、フィルムとして、および／またはガスもしくは蒸気相から分離された層として設計され、および／または拡散バリアは、パリレン材料を含む。センサキャビティを充填するためにシリコンオイルを使用する場合、センサキャビティの表面は、膜、例えば、ポリマーまたはチタンなどの金属から作製された膜によって閉じられる。固体および／またはゲル様シリコンを使用するときは、センサキャビティの表面処理は不要である。しかしながら、シリコンへの水拡散が潜在的に発生するため、シリコンは膨張し得、それによって、例えば、圧力センサの圧力センサ膜に張力を生じさせ、圧力センサの誤差をもたらし得る。従って、固体および／またはゲル様シリコンは、例えば、パリレンベースの水バリアおよび／または拡散バリアで被覆され得る。
【００１８】
本明細書に提示されるアプローチは、センサヘッド装置を備えた心臓補助システムをさらに作成し、センサヘッド装置は、ガイドカニューレの一端に配置され、センサヘッド装置は、特に、電気的に接続可能であるか、または接続要素によってガイドカニューレの導電素子に電気的に接続される。本明細書に提示されるアプローチの特別な利点は、こうした実施形態によって、簡単かつ費用効果の高い方法で実現され得る。
【００１９】
心臓補助システム用のセンサヘッド装置を製造する方法が提供され、本方法は、少なくとも以下の工程を含む。
【００２０】
それは、心臓補助システム用のセンサヘッド装置を製造するために、少なくとも一つのセンサを収容するための少なくとも一つのセンサキャビティ、および／または少なくとも一つの信号送信機を収容するための少なくとも一つの信号送信機キャビティを有するセンサ担持要素を形成することである。
【００２１】
一実施形態によれば、本方法は、少なくとも一つのセンサをセンサキャビティ内に、および／または少なくとも一つの信号送信機を形状センサ担持要素の少なくとも一つの信号送信機キャビティに挿入する工程を含み得る。
【００２２】
心臓補助システム用のセンサヘッド装置を製造するために本明細書に提示される方法は、例えば、ソフトウェアもしくはハードウェア、または例えば、制御装置内のソフトウェアおよびハードウェアの混合形態で実施することができる。
【００２３】
さらに、本明細書に提示されるアプローチは、心臓補助システム用のセンサヘッド装置を製造するために本明細書に提示される方法の変形の工程を、対応する装置で実施、制御、または実装するように設計される装置を生成する。本発明の根底にある目的はまた、装置の形態の本発明のこの設計変形によって、迅速かつ効率的に達成することができる。
【００２４】
この目的のために、装置は、信号またはデータを処理するための少なくとも一つのコンピューティングユニット、信号またはデータを格納するための少なくとも一つのメモリユニット、センサからセンサ信号を読み取る、またはデータまたは制御信号をアクチュエータに出力するためのセンサまたはアクチュエータへの少なくとも一つのインターフェイス、および／または通信プロトコルに埋め込まれたデータを読み取りまたは出力するための少なくとも一つの通信インターフェイスを有することができる。コンピューティングユニットは、例えば、信号プロセッサ、マイクロコントローラーなどであってもよく、それによってメモリユニットは、フラッシュメモリ、ＥＥＰＲＯＭ、または磁気メモリユニットであり得る。通信インターフェイスは、無線および／または有線でデータを読み取りまたは出力するように設計でき、有線データを読み取りまたは出力することができる通信インターフェイスは、例えば、対応するデータ送信ラインから電気的または光学的に前述のデータを読み取るか、またはそれらを対応するデータ送信ラインに出力することができる。
【００２５】
本事例では、装置は、センサ信号を処理し、その関数として、制御信号および／またはデータ信号を出力する電気装置を意味すると理解され得る。装置は、ハードウェアおよび／またはソフトウェアによって設計され得る、インターフェイスを有することができる。ハードウェアによる設計では、インターフェイスは、例えば、装置のさまざまな機能を含むいわゆるシステムＡＳＩＣの一部とすることができる。しかしながら、インターフェイスが別個の集積回路であるか、または少なくとも部分的に別個の構造要素からなることも可能である。ソフトウェアによる設計では、インターフェイスは、例えば、他のソフトウェアモジュールに加えてマイクロコントローラー上に存在するソフトウェアモジュールであり得る。
【００２６】
半導体メモリ、ハードドライブメモリ、または光メモリなどの機械可読キャリアまたは記憶媒体に記憶することができるプログラムコードを有するコンピュータープログラム製品またはコンピュータープログラムは、上記の実施形態の一つによる方法の工程を実行、実施、および／または制御するために使用され、特に、プログラム製品またはプログラムがコンピューターまたは装置上で実行される場合有利である。
【００２７】
本明細書に提示されるアプローチの例示的な実施形態は、図面に概略的に示され、以下の記述でより詳細に説明される。図面は、以下を示す。
【図面の簡単な説明】
【００２８】
【図１】図１は、例示的な実施形態による心臓補助システムの概略図である。
【図２】図２は、例示的な実施形態による心臓補助システムのためのセンサヘッド装置の第一の設計変形の概略図である。
【図３ａ】図３ａは、例示的な実施形態による心臓補助システムのためのセンサヘッド装置の第二の設計変形の概略図である。
【図３ｂ】図３ｂは、例示的な実施形態による心臓補助システムのためのセンサヘッド装置のさらなる設計変形の概略図である。
【図３ｃ】図３ｃは、例示的な実施形態による心臓補助システムのためのセンサヘッド装置のさらなる設計変形の概略図である。
【図４】図４は、例示的な実施形態による、センサヘッド装置のセンサ担持部の概略図である。
【図５】図５は、例示的な実施形態によるセンサヘッド装置の円筒形超音波素子の概略図である。
【図６】図６は、例示的な実施形態による心臓補助システム用のセンサヘッド装置を製造する方法の例示的な実施形態のフロー図である。
【図７】図７は、例示的な実施形態による心臓補助システム用のセンサヘッド装置を生成するための装置のブロック図である。
【発明を実施するための形態】
【００２９】
本発明の好ましい例示的な実施形態の以下の説明では、さまざまな図に示され、類似の効果を有する要素に対して、同じまたは類似の参照符号が使用され、これらの要素の繰返しの説明は省略される。
【００３０】
図１は、例示的な実施形態による心臓補助システム１００の概略図を示す。例として、図１は、統合されたセンサヘッド装置１０５を有する左心室心臓補助システム１００を示す。心臓補助システム１００は、例として、例えば、左心腔または大動脈などの血管内のカテーテルによる位置決めを容易にするために、実質的に一定の外径および丸みのあるテーパー付端部を有する円筒形の細長い構造を有する。
【００３１】
心臓補助システム１００、ここでは例として、左心腔への経皮的埋め込みのための左心室心臓補助システム１００は、まずセンサヘッド装置１０５を有する。心臓補助システム１００はさらに、そこから心臓疾患患者の血液が心臓補助システム１００に入る、複数の入口開口部１１５を備えた入口ケージ１１０、ガイドカニューレ１２０、インペラおよび複数の出口開口部１３０を備えたインペラーケージ１２５、カップリングおよびモーターハウジング１３５、センサ技術、オプションのセンサハブ、および電気的接続フィールドを備えたバックエンド１４０、ならびに、最後に、心臓補助システム１００を外部エネルギー源または外部評価または制御装置に接続するための接続ケーブル１４５を有す。
【００３２】
心臓補助システム１００のセンサヘッド装置１０５は、例として、心臓補助システム１００から離れた丸い外端１５０と、少なくとも一つのセンサキャビティ１５５内に配置され、センサヘッド装置１０５の円周方向の溝として設計され得、例えば、心臓疾患患者の圧力および／または温度を測定するために使用されるセンサアセンブリーとを有する。この場合、センサヘッド装置１０５は、入口ケージ１１０の内端（図示せず）に配置され、入口ケージ１１０はまた、ガイドカニューレ１２０の一体的構成要素として設計され得る。さらに、センサヘッド装置１０５は、例えば、入口ケージ１１０の接続要素（図示せず）によって、ガイドカニューレ１２０の導電素子（図示せず）に電気的に接続することができる。
【００３３】
図２は、例示的な実施形態による心臓補助システムのためのセンサヘッド装置１０５の第一の設計変形の概略図を示す。センサヘッド装置１０５は、例として、入口ケージ１１０またはガイドカニューレ１２０の内端に配置され、センサヘッド装置１０５は、入口ケージ１１０の接続要素（図示せず）によって、ガイドカニューレ１２０の導電素子（図示せず）に電気的に接続される。
【００３４】
センサヘッド装置１０５は、例として、センサヘッド装置１０５のベース本体を形成するセンサ担持要素２０５を有する。センサ担持要素２０５は、例えば、射出成形プロセスにおいて熱可塑性材で作製されるが、代替的に、機械加工製造プロセスでも製造され得る。
【００３５】
ここで示されるセンサ担持要素２０５は、例として、例として二つのセンサ２１５および２２０を収容するための、円周方向または少なくとも部分的に円周方向のセンサキャビティ（１５５および２１０）（ただし、二つの別個のセンサキャビティ１５５および２１０として設計され得る）を有する。センサ担持要素２０５はさらに、例として、円筒形信号送信機２３５を収容するための円筒形信号送信機キャビティ（２２５および２３０）を有する。センサ２１５および／または２２０は、例として、温度センサおよび／または圧力センサであるが、特に気圧絶対圧力センサである。信号送信機２３５は、例として、超音波素子であって、その上に、一つの例示的な実施形態によれば、例えば、シリコンで作製された超音波レンズなどのレンズ素子２４５が位置付けられ、レンズ素子２４５は、信号送信機キャビティ２２５を少なくとも部分的に覆う。
【００３６】
一つの例示的な実施形態によれば、信号送信機キャビティ２２５は、センサキャビティ１５５とは異なる方向に開いて、信号送信機キャビティ２２５は、信号送信機の主ビーム方向がガイドカニューレ１２０の軸を指すように、心臓補助システムに面する方向に開いている。少なくとも一つのセンサキャビティ１５５は、例として、少なくとも部分的に円周方向の溝（例えば、センサヘッド装置１０５の外側表面周りの円周方向の角度３３０°）として製造され、半径方向に開いている。特に有利な様式で、センサキャビティ１５５としての溝の壁は、溝が基部よりも外側に向かって幅広になるように設計される。結果として、センサ担持要素２０５の製造工程で、溝ならびにその中に配設されたセンサ２１５へのシールとして導入されるシリコンの膨張が、その後、センサ２１５としてのＭＥＭＳ素子の張力により少ないものをもたらす。
【００３７】
センサ担持要素２０５は、センサヘッド装置１０５の長手方向の延長に沿って延びるチャネル２７０を有し、ここに示されるセンサ担持要素２０５の第一の設計変形では、チャネル２７０は、例として、心臓補助システムから離れた丸み付きキャップまたはマッシュルームヘッド形態の外端１５０で中央で終了する。センサヘッド装置１０５のマッシュルームヘッド形状の外端１５０は、心臓疾患患者にいかなる損傷も誘発しないように、またシステムの埋め込み中に心臓補助システムを前進させるときに良好な滑り特性を確保するために丸みを帯びている。
【００３８】
その中央では、例として、センサ担持部２０５は開口部２７１を有する。この場合、開口部２７１は、ガイドワイヤ（図示せず）を収容する役割を果たす。心臓補助システムを心臓疾患患者の左心腔内または大動脈内に埋め込む場合、ガイドワイヤはまず患者の心室に敷設される。心臓補助システムは次に、ガイドワイヤ上に押し付けられ、ガイドワイヤに沿って端位置に前進される。
【００３９】
信号送信機キャビティの領域でガイドワイヤをガイドするための第一の実施形態では、センサキャリア２０５は、ガイドワイヤが超音波レンズ２４５と領域１１０内の血液との間の接触表面に案内されるように、信号送信機キャビティ内にまで延びる管状の連続体２５０を含むことができる。第二の実施形態では、小さな管２７５（例えば、ステンレス鋼、チタン、またはＮｉＴｉＮｏｌで作られた金属管）が、チャネル２７０に挿入され、センサ担持部２０５を通って、それを超えて信号送信機キャビティ２２５内に延在し、超音波レンズ２４５と領域１１０内の血液との間の接触表面に達する。第二の実施形態は、著しく小さい壁厚の利点を有し、信号送信機の中央開口幅の減少をもたらし、これは特に、信号送信機が超音波トランスデューサーとして設計される場合に有利である。
【００４０】
外側に向かって、信号送信機キャビティは、例として、センサ担持部２０５の設計の一部である、シリンダージャケット２６５によって制限される。円筒形信号送信機２３５は、結果として、（設計変形に応じて）連続体２５０または小さな管２７５上にその中央開口部を有し、信号送信機キャビティ２２５に挿入されるように設計され得る。２５０と２３５または２７５と２３５との間のギャップ、ならびに２３５と２６５との間のギャップは、例えば、接着剤固定としても同時に機能する、エポキシまたはシリコンによって充填され得る。
【００４１】
マッシュルームヘッド形状の外端１５０は、少なくとも一つのセンサキャビティ１５５内に配置されるセンサ２１５、２２０に対する追加の機械的保護を表す。センサ２１５および２２０をウェブ２５１（例えば、ここでは立方体）の周りに配置するためには、ここに示すセンサヘッド装置１０５の第一の設計変形において、センサ２１５および２２０を可撓性回路基板または薄膜基材上に配置することが必要である。センサ２１５、２２０は、例えば、薄膜基材に結合される。センサ２１５、２２０の領域では、薄膜基材は曲がってはならないため、補強素子で支持され得るが、特に、基材は円筒形ではなく、角が丸い立方体として設計される。ウェブ２５１の丸みのある角は、例えば、薄膜基材（ポリイミド金層構造）の曲げ半径を維持する役割を果たす。
【００４２】
一つの例示的な実施形態によれば、少なくとも一つのセンサキャビティ１５５は、血液および機械的損傷からセンサ２１５、２２０を保護するために鋳造化合物で充填される。この場合、鋳造化合物は、固体および／またはゲル様シリコン、あるいはシリコンオイルであり得る。この場合、鋳造化合物は、センサ２１５または２２０による正確な圧力測定を継続して可能にするために、患者の心臓圧力を伝達することができるべきである。
【００４３】
図３ａは、例示的な実施形態による心臓補助システム１００のためのセンサヘッド装置１０５の第二の設計変形の概略図を示す。センサヘッド装置１０５は、例として、ガイドカニューレ１２０または入口ケージ１１０の内端に配置され、センサヘッド装置１０５は、入口ケージ１１０の接続要素（ここには表示されていない）によって、ガイドカニューレ１２０の導電素子（ここに図示せず）に電気的に接続される。より狭い意味では、導電素子は、例えば、センサヘッド装置２０５の全ての構成要素にわたって貼り付けることによって、後端部１４０からセンサヘッド装置１０５まで、完全に一片でレイアウトされる。
【００４４】
センサヘッド装置１０５は、例として、センサヘッド装置１０５のベース本体を形成するセンサ担持要素２０５を有する。センサ担持要素２０５は、例えば、射出成形プロセスにおいて熱可塑性材で作製されるが、代替的に、機械加工製造プロセスでも製造され得る。
【００４５】
ここで示されるセンサ担持要素２０５は、例として、二つのセンサキャビティ１５５および２１０、または上述の詳細ですでに説明したように、一つのセンサ２１５または２２０をそれぞれ収容するためのセンサキャビティ１５５として、少なくとも部分的に円周方向の溝を有する。センサ担持要素２０５はさらに、例として、信号送信機２３５を収容するための信号送信機キャビティ２２５を有する。センサ２１５および／または２２０は、例として、温度センサおよび／または圧力センサであるが、特に気圧絶対圧力センサである。信号送信機２３５は、例として、超音波素子であって、その上に、一つの例示的な実施形態によれば、シリコンで作製された超音波レンズなどのレンズ素子２４５が位置付けられ、レンズ素子２４５は、信号送信機キャビティ２２５および２３０を少なくとも部分的に覆う。
【００４６】
一つの例示的な実施形態によれば、信号送信機キャビティ２２５は、センサキャビティ１５５が少なくとも部分的に周方向の溝によって形成されていない場合、センサキャビティ１５５または二つのセンサキャビティ１５５および２１０とは異なる方向に開いており、信号送信機キャビティ２２５または二つの信号送信機キャビティ２２５または２３０は、心臓補助システムに面する方向に開いている。第一のセンサキャビティ１５５は、例として、心臓補助システムから離れた方向に開いており、センサキャビティ１５５は、従って、信号送信機キャビティ２２５に対して９０°オフセットする方向に開いている。
【００４７】
センサ担持要素２０５は、センサヘッド装置１０５の長手方向の延長に沿って延びるチャネル２７０を有し、ここに示されるセンサヘッド装置１０５の第一の設計変形におけるチャネルは、ウェブ状の連続体２５０を通って、センサキャビティの表面２５２または信号送信機２３５の表面またはオプションの超音波レンズの表面２４６まで延びる。図示されていない実施形態では、溝２７０が薄い壁で設計され得るように、ウェブ様連続体２５０は、小さな管２７５（例えば、小さな金属管）によって形成され得る。心臓補助システムから離れた外端１５０に例として、位置付けられたセンサキャビティ１５５は、Ｕ字形状の断面を有する外壁を有し、またはウェブ形状の連続体２５０を使用する時に、Ｅ字形状の外壁３１０を有することができる。一つの例示的な実施形態によれば、センサ２１５、２２０を収容するためのセンサキャビティ１５５または一つのセンサキャビティ１５５、２１０はそれぞれ、外壁３１０とウェブ様連続体２５０または小さな管２７５との間に形成される。従って、外端１５０のこの設計変形は、例としてポット形状を有する。チャネル２７０の内端２６０への連続はまた、ウェブ２５０によって、または小さな管２７５として実施され得る。そこにある信号送信機キャビティには、Ｕ字型の断面を持つ壁があり、または、ウェブ２５０を使用する場合、Ｅ字型の壁があり、信号送信機２３５を収容するための信号送信機キャビティ２２５は、一つの例示的な実施形態による、内壁２６５のそれぞれの対の間に形成される。
【００４８】
ここに示されるセンサヘッド装置１０５の設計変形の利点は、センサ２１５および２２０が、例えば、円形回路基板３２０に事前に取り付けられ得ることであり、代替の例示的な実施形態では、信号送信機２３５はまた、円形回路基板上に事前に取り付けられ得る。
【００４９】
一つの例示的な実施形態によれば、センサキャビティ１５５または二つのセンサキャビティ１５５、２１０は、血液および機械的損傷からセンサ２１５、２２０を保護するために鋳造化合物で充填される。この場合、鋳造化合物は、固体および／またはゲル様シリコン、あるいはシリコンオイルであり得る。この場合、鋳造化合物は、センサ１５５および２１０による正確な圧力測定を継続して可能にするために、患者の心臓圧力を伝達することができるべきである。
【００５０】
その中心では、例として、センサ担持要素２０５はチャネル２７０を有し、円筒形管２７５は、例として、チャネル２７０内に位置する。管２７５（小さな管とも呼ぶことができる）は、センサヘッド装置１０５の全長にわたって開口部２７１に挿入され、かつ／または開口部２７１内に形成され得る。この場合、開口部２７１または円筒形管２７５は、ガイドワイヤ（図示せず）を収容する役割を果たす。心臓補助システムを心臓疾患患者の左心腔内または大動脈内に埋め込む場合、ガイドワイヤはまず患者の心室に敷設される。心臓補助システムは次に、ガイドワイヤ上に押し付けられ、ガイドワイヤに沿って端位置に前進される。
【００５１】
図３ｂは、例示的な実施形態による心臓補助システム１００のためのセンサヘッド装置１０５のさらなる設計変形の概略図を示す。図３ａに示すセンサヘッド装置１０５の設計変形とは対照的に、チャネル２７０または開口部２７１を形成するために、センサ担持要素２０５の中央部分に挿入される小さな円筒形管２７５が、図３ｂに示す設計変形に提供される。この場合、小さな管２７５は、センサ担持要素２０５への挿入後、小さな管２７５がプレスフィットによってセンサ担持要素２０５内に保持され得るように、センサ担持要素２０５の開口部の直径よりも大きい直径を有する。
【００５２】
図３ｃは、例示的な実施形態による心臓補助システムのためのセンサヘッド装置のさらなる設計変形の概略図を示す。図３ｃに示すセンサ担持要素２０５は、例えば、図３ａの図で用いられるように、一体部品または一体片構成要素としてここに示される。
【００５３】
図４は、例示的な実施形態によるセンサヘッド装置１０５のセンサ担持部２０５の概略図を示す。例として、センサ担持部２０５は、ここに示す図のいくつかの部分で実現される。従って、例えば、ポリエーテルエーテルケトンなどの熱可塑性で作製された射出成形部品として、センサ担持部２０５の単純な成形品取り出しが可能である。この場合、射出成形部品またはセンサ担持要素２０５は、ウェブ２５１を備えたマッシュルームキャップ形状の外端１５０のみを含み、例えば、金属材料でできている円筒形管２７５は、センサ担持部２０５の中央に形成されたチャネル２７０に挿入される。管２７５は、例として、センサ担持部２０５の全長にわたってチャネル２７０内に挿入され、例として、ガイドワイヤ（図示せず）を収容する役割を果たす。一つの例示的な実施形態によれば、センサキャビティ１５５または一つのセンサキャビティ１５５および２１０はそれぞれ、ウェブ２５１の上下のマッシュルームキャップから離れた側に形成され、前述のセンサキャビティ１５５（またはセンサキャビティ１５５および２１０それぞれ）は、少なくとも一つのセンサを収容する役割を果たす。センサ担持部２０５の個々の部品は、例として、生体適合性接着剤によって一緒に接合され得る。
【００５４】
図５は、例示的な実施形態によるセンサヘッド装置１０５のセンサ担持要素２０５上に押し込まれる円筒形超音波素子２３５の概略図を示す。例として、ここに示す超音波素子２３５は、管２７５に押し込むために提供される開口部を有する。この場合、管２７５は、内部から超音波素子２３５のカプセル化を確保するために、超音波素子２３５の領域内のセンサ担持要素の開口部に挿入される。超音波素子２３５は、例として、必要なバッキング層およびインピーダンス適合層を有する圧電素子であってもよく、および／または気密封止素子であり得る。超音波素子２３５は、例として、円形回路基板上に配置され、この場合、超音波素子２３５がガイドカニューレの方向を指すように、センサヘッド装置内に組み込まれ、その中に封入される。従って、超音波素子２３５は、ガイドカニューレまたは心臓補助システム全体の円筒形状に最適に組み込まれ、かつ安全に封入される。
【００５５】
図６は、例示的な実施形態による心臓補助システム用のセンサヘッド装置を生成するための方法６００の例示的な実施形態のフローチャートを示す。
【００５６】
方法６００の工程６１０において、心臓補助システム用のセンサヘッド装置を生成するために、少なくとも一つのセンサを収容するための少なくとも一つのセンサキャビティ、および／または少なくとも一つの信号送信機を収容するための少なくとも一つの信号送信機キャビティを有するセンサ担持要素が形成される。方法６００の工程６２０では、最後に、少なくとも一つのセンサが、センサキャビティに挿入され、および／または少なくとも一つの信号送信機が、形成されたセンサ担持要素の少なくとも一つの信号送信機キャビティに挿入される。
【００５７】
図７は、例示的な実施形態による心臓補助システム用のセンサヘッド装置を生成するための装置７００のブロック図を示す。この場合、装置７００は、対応するユニットでセンサヘッド装置を製造するための方法の工程を実行および／または制御するように設計される。
【００５８】
従って、装置７００は、形成ユニット７１０および挿入ユニット７２０を有する。形成ユニット７１０は、この場合、心臓補助システム用のセンサヘッド装置を生成するために、少なくとも一つのセンサを収容するための少なくとも一つのセンサキャビティ、および／または少なくとも一つの信号送信機を収容するための少なくとも一つの信号送信機キャビティを備えたセンサ担持要素を形成するように設計される。挿入ユニット７２０は、最後に、少なくとも一つのセンサを、少なくとも一つのセンサキャビティ内に、および／または少なくとも一つの信号送信機を、形成されたセンサ担持要素の少なくとも一つの信号送信機キャビティ内に挿入するように設計される。
【００５９】
例示的な実施形態が、第一の特徴と第二の特徴との間に「および／または」の接続詞を含む場合、一実施形態による例示的な実施形態が、第一の特徴および第二の特徴の両方を含み、別の実施形態によれば、第一の特徴のみまたは第二の特徴のみのいずれかを含むことを意味するとして理解されるべきである。
【図１】
2021526874.tif 000003
【図２】
2021526874.tif 000004
【図３ａ】
2021526874.tif 000005
【図３ｂ】
2021526874.tif 000006
【図３ｃ】
2021526874.tif 000007
【図４】
2021526874.tif 000008
【図５】
2021526874.tif 000009
【図６】
2021526874.tif 000010
【図７】
2021526874.tif 000011
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
心臓、およびセンサヘッド装置（１０５）のポンプ性能を向上させるポンプ装置を有する心臓補助システム（１００）であって、前記センサヘッド装置（１０５）が、
少なくとも一つのセンサ（２１５、２２０）を収容するための少なくとも一つのセンサキャビティ（１５５、２１０）、および／または少なくとも一つの信号送信機（２３５）を収容するための少なくとも一つの信号送信機キャビティ（２２５、２３０）を有するセンサ担持要素（２０５）を有し、前記センサ担持要素（２０５）は、外端（１５０）に丸み付きキャップを有するか、またはマッシュルームヘッド形状の外端（１５０）を有する、心臓補助システム（１００）。
【請求項２】
前記少なくとも一つのセンサキャビティ（１５５、２１０）が、前記少なくとも一つの信号送信機キャビティ（２２５、２３０）とは異なる方向に開いている、請求項１に記載の心臓補助システム（１００）。
【請求項３】
前記センサキャビティ（１５５、２１０）が、前記センサ担持要素（２０５）の周りの少なくとも部分的に周方向の溝によって形成される、請求項１または２に記載の心臓補助システム（１００）。
【請求項４】
前記センサ担持要素（２０５）が、Ｕ字形状および／またはＥ字形状に配置される外壁（３１０）を有し、および／または少なくとも一つの内端（２６０）にＵ字形状および／またはＥ字形状に配置される内壁（２６５）を有する、請求項１〜３のいずれか一項に記載の心臓補助システム（１００）。
【請求項５】
前記少なくとも一つの信号送信機キャビティ（２２５、２３０）または前記少なくとも一つのセンサキャビティ（１５５、２１０）が、前記外壁（３１０）の間、および／または前記外壁（３１０）と前記内壁（１６５）との間に形成される、請求項４に記載の心臓補助システム（１００）。
【請求項６】
中央で、前記センサ担持要素（２０５）がチャネル（２７０）を含む、請求項１〜５のいずれか一項に記載の心臓補助システム（１００）。
【請求項７】
前記チャネル（２７０）が円筒形管（２７５）を有する、請求項６に記載の心臓補助システム（１００）。
【請求項８】
特に温度センサおよび／または圧力センサとして形成された少なくとも一つのセンサ（２１５、２２０）を有し、および／または特に超音波素子として形成された少なくとも一つの信号送信機（２３５）を有し、前記少なくとも一つのセンサ（２１５、２２０）および／または前記少なくとも一つの信号送信機（２３５）は、導電素子（３２０）上に配置される、請求項１〜７のいずれか一項に記載の心臓補助システム（１００）。
【請求項９】
前記信号送信機キャビティ（２２５、２３０）が、レンズ素子（２４５）によって少なくとも部分的に覆われ、前記レンズ素子（２４５）が、特に超音波レンズとして設計され、および／またはシリコン材料から作製される、請求項１〜８のいずれか一項に記載の心臓補助システム（１００）。
【請求項１０】
前記センサ担持要素（２０５）が熱可塑性材から形成され、および／または前記センサ担持要素（２０５）が機械加工製造方法で、および／または射出成形部品として製造される、請求項１〜９のいずれか一項に記載の心臓補助システム（１００）。
【請求項１１】
前記センサキャビティ（１５５、２１０）が鋳造化合物で充填され、前記鋳造化合物が特に固体またはゲル様シリコンまたはシリコンオイルを含む、請求項１〜１０のいずれか一項に記載の心臓補助システム（１００）。
【請求項１２】
前記センサキャビティ（１５５、２１０）が、膜および／または拡散バリアによってコートおよび／または被覆され、前記膜が特にフィルムおよび／または前記拡散バリアとしてパリレン材料を含む、請求項１〜１１のいずれか一項に記載の心臓補助システム（１００）。
【請求項１３】
前記センサヘッド装置（１０５）が、ガイドカニューレ（１２０）の一端に配置され、前記センサヘッド装置（１０５）が、接続要素によって前記ガイドカニューレ（１２０）の導電素子に、特に、電気的に接続可能であるか、または電気的に接続される、請求項１〜１２のいずれか一項に記載の心臓補助システム（１００）。
【請求項１４】
請求項１〜１３のいずれか一項に記載の心臓補助システム（１００）用のセンサヘッド装置（１０５）を生成するための方法（６００）であって、
少なくとも一つのセンサ（２１５、２２０）を収容するための少なくとも一つのセンサキャビティ（１５５、２１０）、および／または少なくとも一つの信号送信機（２３５）を収容するための少なくとも一つの信号送信機キャビティ（２２５、２３０）を有するセンサ担持要素（２０５）を形成する工程（６１０）を少なくとも含み、前記センサ担持要素（２０５）は、外端（１５０）に丸み付きキャップを有するか、またはマッシュルームヘッド形状の外端（１５０）を有して設計される、方法（６００）。
【請求項１５】
少なくとも一つのセンサ（２１５、２２０）を前記形成されたセンサ担持要素（２０５）の前記センサキャビティ（１５５、２１０）内、および／または少なくとも一つの信号送信機（２３５）を前記形成されたセンサ担持要素（２０５）の前記少なくとも一つの信号送信機キャビティ（２２５、２３０）内に挿入する工程（６２０）をさらに含む、請求項１４に記載の方法（６００）。
【請求項１６】
対応するユニット（７１０、７２０）における、請求項１４または１５に記載の方法（６００）の工程を実行および／または制御するように構成された装置（７００）。
【請求項１７】
請求項１４〜１５のいずれか一項に記載の方法（６００）の工程を実行および／または制御するように構成されたコンピュータープログラム。
【請求項１８】
請求項１７に記載のコンピュータープログラムが記憶される、機械可読記憶媒体。
【国際調査報告】
2021526874.tif 000012
2021526874.tif 000013
2021526874.tif 000014
2021526874.tif 000015